(57)【要約】本発明は、以下のステップを含むブロードキャストオーディオビジュアルコンテンツを記述するデータを取得する方法に関する。そのステップとは、受信端末を介して、少なくとも１つの情報要求を、前記オーディオビジュアルコンテンツの少なくとも１つの記述サーバに送信するステップ２８と、受信端末を介して、要求の要素に基づいて供給された記述データを受信するステップ３０である。この方法は、オーディオビジュアルコンテンツを記述する少なくとも１つのサーバのアドレスを含む少なくとも１つの初期情報要求を受信端末内に取得および格納する事前ステップ２０、２２、２４と、先に取得した初期要求から要求を生成するものであるステップ２６とをさらに含む。本発明はまた、前記方法を実施するシステム、ブロードキャストサーバ、受信端末、および記述サーバを提供する。
2005539427.tif 000002
【特許請求の範囲】
【請求項１】
ブロードキャストオーディオビジュアルコンテンツについての記述データを取得する方法であって、
受信機端末（１２）がオーディオビジュアルコンテンツ記述の少なくとも１つのサーバ（１６）に少なくとも１つの情報要求を送信するステップ（２８）と、
受信機端末（１２）が、要求の要素に応じて供給される記述データを受信するステップ（３０）とを含み、
少なくとも１つのオーディオビジュアルコンテンツ記述サーバ（１６）のアドレスを含む少なくとも１つの初期情報要求を受信機端末（１２）内に取得および格納する事前ステップ（２０、２２、２４）と、先に取得した初期要求に基づいて要求を生成するステップ（２６）とを含むことを特徴とする方法。
【請求項２】
受信ステップ（３０）中に、オーディオビジュアルコンテンツ記述データが、要求に関連する少なくとも１つの日付および時刻とオーディオビジュアルコンテンツのブロードキャスト日付および時刻との間の関係に応じて供給されることを特徴とする請求項１に記載の記述データ取得方法。
【請求項３】
要求に関連する日付および時刻が、要求が送信される日付および時刻に対応することを特徴とする請求項２に記載の記述データ取得方法。
【請求項４】
送信される要求が初期要求と同一であることを特徴とする請求項１から３のいずれか一項に記載の記述データ取得方法。
【請求項５】
要求生成ステップ（２６）中に、少なくとも１つの日付および時刻を指定することによって初期要求が拡張されることを特徴とする請求項２から４のいずれか一項に記載の記述データ取得方法。
【請求項６】
受信ステップ（３０）中に、供給されるデータが、要求で指定される日付および時刻にブロードキャストされるオーディオビジュアルコンテンツに対応するデータであることを特徴とする請求項５に記載の記述データ取得方法。
【請求項７】
要求生成ステップ（２６）中に、いくつかのコンテンツ項目を指定することによって初期要求が拡張され、受信ステップ（３０）中に、供給されるデータが、要求で指定される日付および時刻から開始してブロードキャストされる、要求された数のオーディオビジュアルコンテンツ項目に対応することを特徴とする請求項５または６に記載の記述データ取得方法。
【請求項８】
要求生成ステップ（２６）中に、時間間隔を指定することによって初期要求が拡張され、受信ステップ（３０）中に、供給されるデータが、要求で指定された時間間隔でブロードキャストされるオーディオビジュアルコンテンツに関係することを特徴とする請求項２から４のいずれか一項に記載の記述データ取得方法。
【請求項９】
時間間隔が、開始日付および時刻によって及び終了日付および時刻によって定義されることを特徴とする請求項８に記載の記述データ取得方法。
【請求項１０】
時間間隔が、開始日付および時刻ならびに期間によって定義されることを特徴とする請求項８に記載の記述データ取得方法。
【請求項１１】
要求生成ステップ（２６）中に、ブロードキャストオーディオビジュアルコンテンツに関する記述要素の名前に対応するキーワードを指定することによって初期要求が拡張されることを特徴とする請求項２から１０のいずれか一項に記載の記述データ取得方法。
【請求項１２】
記述データを受信するステップ（３０）に続いて、それに関する記述データがまさに受信されたオーディオビジュアルコンテンツについてのブロードキャスト終了日付および時刻に対応する新しい日付および新しい時刻に関連する少なくとも１つの新しい要求を生成するために、要求生成ステップ（２６）に戻ることを特徴とする請求項２から１１のいずれか一項に記載の記述データ取得方法。
【請求項１３】
初期要求を取得および格納するステップ（２０、２２、２４）が、記述サーバ（１６）から前記要求をダウンロードすること（２０）を含むことを特徴とする請求項１から１２のいずれか一項に記載の記述データ取得方法。
【請求項１４】
初期ステップを取得および格納するステップ（２０、２２、２４）が、受信機端末（１２）がオーディオビジュアルコンテンツブロードキャストチャネルに関連するシグナリングチャネルを介して前記初期要求を受信すること（２２）を含むことを特徴とする請求項１から１３のいずれか一項に記載の記述データ取得方法。
【請求項１５】
初期要求を取得および格納するステップ（２０、２２、２４）が、記述サーバ（１６）のアドレスフィールドに対応するＳＤＰタイプファイルを供給する（２４）ブロードキャストサーバ（１０）を含むことを特徴とする請求項１から１４のいずれか一項に記載の記述データ取得方法。
【請求項１６】
記述データがＸＭＬファイルの形式で供給されることを特徴とする請求項１から１５のいずれか一項に記載の記述データ取得方法。
【請求項１７】
要求が、単一のオーディオビジュアルコンテンツブロードキャストチャネルと関連付けられることを特徴とする請求項１から１６のいずれか一項に記載の記述データ取得方法。
【請求項１８】
送信についての要求を生成する（２６）間、１組のブロードキャストチャネルが定義され、送信ステップ（２８）中に、要求で指定されたブロードキャストチャネルと同数の要求が送信されることを特徴とする請求項１７に記載の記述データ取得方法。
【請求項１９】
ブロードキャストオーディオビジュアルチャネルについての記述データを取得するシステムであって、オーディオビジュアルコンテンツを受信する少なくとも１つの受信機端末（１２）と、少なくとも１つのオーディオビジュアルコンテンツ記述サーバ（１６）とを備え、受信機端末（１２）が、少なくとも１つの記述サーバ（１６）のアドレスを含む少なくとも１つの初期情報要求を取得および格納する手段と、初期要求に基づいて要求を生成する手段と、前記要求を記述サーバに送信する手段とを含むこと、ならびに記述サーバ（１６）が、要求に応じて供給される記述データを受信機端末（１２）に送信する手段を含むことを特徴とするシステム。
【請求項２０】
記述サーバ（１６）が、初期要求を利用可能にする手段を含むことを特徴とする請求項１９に記載の記述データ取得システム。
【請求項２１】
少なくとも１つのオーディオビジュアルコンテンツブロードキャストサーバ（１０）を含み、前記サーバが、ブロードキャストコンテンツと共に初期要求を送信する手段を含むことを特徴とする請求項１９または２０に記載の記述データ取得システム。
【請求項２２】
請求項１から１８のいずれか一項に記載の記述取得方法を実施するオーディオビジュアルコンテンツブロードキャストサーバ（１０）であって、ブロードキャストコンテンツと共に初期要求を送信する送信手段を含むことを特徴とするオーディオビジュアルコンテンツブロードキャストサーバ（１０）。
【請求項２３】
送信手段が通常の送信手段であることを特徴とする請求項２２に記載のブロードキャストサーバ（１０）。
【請求項２４】
オーディオビジュアルコンテンツを受信して、請求項１から１８のいずれか一項に記載の記述データ取得方法を実施する受信機端末（１２）であって、初期要求を格納する手段と、初期要求に基づいて、送信すべき要求を生成する手段とを含むことを特徴とする受信機端末（１２）。
【請求項２５】
請求項１から１８のいずれか一項に記載の記述データ取得方法を実施するオーディオビジュアルコンテンツ記述サーバ（１６）であって、初期要求を利用可能にする手段を含むことを特徴とするオーディオビジュアルコンテンツ記述サーバ（１６）。
【発明の詳細な説明】
【技術分野】
【０００１】
本発明は、ブロードキャストオーディオビジュアルコンテンツについての記述データを取得する方法に関する。本発明はまた、この方法を実施するシステム、ブロードキャストサーバ、記述サーバ、および受信機端末に関する。
【背景技術】
【０００２】
より正確には、本発明は、
受信機端末が、オーディオビジュアルコンテンツ記述の少なくとも１つのサーバに、情報についての少なくとも１つの要求を送信するステップと、
受信機端末が、要求の要素に応答して供給された記述データを受信するステップとを含むタイプの方法に関する。
【０００３】
このような記述データ取得方法は一般に、インターネットを介してアクセス可能な記述サーバ内で実施される。したがって、オーディオビジュアルコンテンツブロードキャストチャネルのインターネットサイトは、ホームページに含まれる検索エンジンの助けにより、ユーザにとって関心のある可能性のあるオーディオビジュアルコンテンツの検索を提案する。
【０００４】
それでも、ユーザが複数のチャネルによってブロードキャストされるオーディオビジュアルコンテンツに関する記述データを受信したい場合、ユーザは、複数の要求を作成するために複数のインターネットサイトに移動しなければならない。
【発明の開示】
【発明が解決しようとする課題】
【０００５】
本発明の目的は、所望の記述データを得るために、情報要求を送信するステップを実施しながら、記述データを取得する方法を提供することによってその欠点を改善することである。
【課題を解決するための手段】
【０００６】
この目的で、本発明は、少なくとも１つのオーディオビジュアルコンテンツ記述サーバのアドレスを含む少なくとも１つの初期情報要求を受信機端末内に取得および格納する事前ステップと、先に取得した初期要求に基づいて要求を生成するステップとを含むことを特徴とする、上記で指定したタイプの記述データ取得方法を提供する。
【０００７】
したがって、受信機端末はいくつかの初期要求を格納することができるので、要求生成のステップにより、１つまたは複数の要求を送信するために共通インターフェースを使用することを可能とする。
【０００８】
任意選択で、本発明の記述データ取得方法は、受信ステップ中に、オーディオビジュアルコンテンツ記述データが、要求に関連する少なくとも１つの日付および時刻とオーディオビジュアルコンテンツのブロードキャスト日付および時刻との間の関係に応じて供給されるという特徴を含む。
【０００９】
この取得方法の利点は、何らかの特定のオーディオビジュアルコンテンツを識別または参照する必要なしに、特定の時刻または特定の時間枠内にブロードキャストされるオーディオビジュアルコンテンツに関する記述データを受信することを可能とすることである。
【００１０】
加えて、本発明の記述データ取得方法は、以下の特徴のうち１つまたは複数を含むことができる。
【００１１】
要求に関連する日付および時刻が、要求が送信される日付および時刻に対応する。
【００１２】
送信される要求が初期要求と同一である。
【００１３】
要求生成ステップ中に、少なくとも１つの日付および時刻を指定することによって初期要求が拡張される。
【００１４】
記述データを受信するステップ中に、供給されるデータが、要求で指定される日付および時刻にブロードキャストされるオーディオビジュアルコンテンツに対応するデータである。
【００１５】
要求生成ステップ中に、いくつかのコンテンツ項目を指定することによって初期要求が拡張され、受信ステップ中に、供給されるデータが、要求で指定される日付および時刻から開始してブロードキャストされる、要求された数のオーディオビジュアルコンテンツ項目に対応する。
【００１６】
要求生成ステップ中に、時間間隔を指定することによって初期要求が拡張され、受信ステップ中に、供給されるデータが、要求で指定された時間間隔でブロードキャストされるオーディオビジュアルコンテンツに関係する。
【００１７】
時間間隔が、開始日付および時刻と終了日付および時刻によって定義される。
【００１８】
時間間隔が、開始日付および時刻ならびに期間によって定義される。
【００１９】
要求生成ステップ中に、ブロードキャストオーディオビジュアルコンテンツに関する記述要素の名前に対応するキーワードを指定することによって初期要求が拡張される。
【００２０】
記述データを受信するステップに続いて、それに関する記述データがまさに受信されたオーディオビジュアルコンテンツについてのブロードキャスト終了日付および時刻に対応する新しい日付および新しい時刻に関連する少なくとも１つの新しい要求を生成するために、この方法は要求生成ステップに戻る。
【００２１】
初期要求を取得および格納するステップが、記述サーバから前記要求をダウンロードすることを含む。
【００２２】
初期ステップを取得および格納するステップが、受信機端末がオーディオビジュアルコンテンツブロードキャストチャネルに関連するシグナリングチャネルを介して前記初期要求を受信することを含む。
【００２３】
初期要求を取得および格納するステップが、記述サーバのアドレスフィールドに対応するＳＤＰタイプファイルを供給するブロードキャストサーバを含む。
【００２４】
記述データがＸＭＬファイルの形式で供給される。
【００２５】
要求が、単一のオーディオビジュアルコンテンツブロードキャストチャネルと関連付けられる。
【００２６】
送信についての要求を生成する間、１組のブロードキャストチャネルが定義され、送信ステップ中に、要求で指定されたブロードキャストチャネルと同数の要求が送信される。
【００２７】
本発明はまた、ブロードキャストオーディオビジュアルチャネルについての記述データを取得するシステムであって、オーディオビジュアルコンテンツを受信する少なくとも１つの受信機端末と、少なくとも１つのオーディオビジュアルコンテンツ記述サーバとを備え、受信機端末が、少なくとも１つの記述サーバのアドレスを含む少なくとも１つの初期情報要求を取得および格納する手段と、初期要求に基づいて要求を生成する手段と、前記要求を記述サーバに送信する手段とを含むこと、ならびに記述サーバが、要求に応じて供給される記述データを受信機端末に送信する手段を含むことを特徴とするシステムを提供する。
【００２８】
本発明のシステムは、以下の特徴のうち１つまたは複数をさらに含むことができる。
【００２９】
記述サーバが、初期要求を利用可能にする手段を含む。
【００３０】
システムが、少なくとも１つのオーディオビジュアルコンテンツブロードキャストサーバを含み、前記サーバが、ブロードキャストコンテンツと共に初期要求を送信する手段を含む。
【００３１】
本発明はまた、前述の記述取得方法を実施するオーディオビジュアルコンテンツブロードキャストサーバであって、ブロードキャストコンテンツと共に初期要求を送信する送信手段を含むことを特徴とするオーディオビジュアルコンテンツブロードキャストサーバを提供する。
【００３２】
本発明のブロードキャストサーバは、送信手段が通常の送信手段であるという特徴をさらに備える。
【００３３】
本発明はまた、オーディオビジュアルコンテンツを受信して、前述の記述データ取得方法を実施する受信機端末であって、初期要求を格納する手段と、初期要求に基づいて、送信すべき要求を生成する手段とを含むことを特徴とする受信機端末を提供する。
【００３４】
最後に、本発明はまた、前述の記述データ取得方法を実施するオーディオビジュアルコンテンツ記述サーバであって、初期要求を利用可能にする手段を含むことを特徴とするオーディオビジュアルコンテンツ記述サーバを提供する。
【００３５】
純粋に例示として与えた以下の説明を読み、添付の図面を参照するときに本発明はより良く理解されよう。
【発明を実施するための最良の形態】
【００３６】
図１に示すシステムは、受信機端末１２へのオーディオビジュアルコンテンツのプログラム式ブロードキャストに適した少なくとも１つのブロードキャストサーバ１０を含む。複数のブロードキャストサーバ１０は、受信機端末１２にプログラム式オーディオビジュアルコンテンツを送信することができ、前記端末は、複数の受信チャネルを有する。
【００３７】
この例では、ブロードキャストは、インターネットなどの従来型データ伝送ネットワークを介して行われる。ブロードキャストはまた、無線放送ネットワークを介して行うこともでき、あるいはケーブルまたは衛星で行うこともできる。伝送ネットワークを参照番号１４で表す。
【００３８】
オーディオビジュアルコンテンツ記述サーバ１６も、受信機端末１２とデータを交換するためにインターネット１４に接続される。
【００３９】
これらの各サーバは、特定のブロードキャストサーバまたは１組のブロードキャストサーバと関連付けることができる。これらは、受信機端末１２によってこれらに送信された要求に応答して、オーディオビジュアルコンテンツを記述するデータを提供するように構成される。
【００４０】
上述のシステムは、図２に示す方法を実施するように働く。
【００４１】
この方法は、受信機端末が初期要求を受信および格納する第１ステップを含む。この第１ステップを参照番号２０、２２、および２４で表す。この第１ステップは、互いに独立に、同時に、または異なる時刻に実行することができる３つの異なる取得ステップに分割される。
【００４２】
初期要求を取得する第１ステップ２０は、記述サーバ１６のうちの１つからそのような要求をダウンロードすることを含む。ダウンロードした要求は、少なくとも、記述サーバに対応するオーディオビジュアルコンテンツのブロードキャストソースの識別子を含む。
【００４３】
初期要求を取得する第２ステップ２２は、ブロードキャストサーバ１０で使用されるオーディオビジュアルコンテンツブロードキャストチャネルに関連するシグナリングチャネルで端末１２が前記要求を受信することを含む。このような環境下では、初期要求が反復的に、好ましくは定期的に受信機端末１２に送信され、その結果、受信機端末１２のユーザは、初期要求を端末に格納することを望むときに格納することができる。
【００４４】
最後に、初期要求を取得する第３ステップ２４は、ブロードキャストサーバ１０がセッション記述プロトコル（ＳＤＰ）タイプの、オーディオビジュアルコンテンツのソースに対応するファイルを受信機端末１２に供給することを含む。これを行うためには、ブロードキャストコンテンツに関する記述データを得るために連絡を取るべき記述サーバ１６のアドレスを供給するためにＳＤＰタイプのファイルにフィールドを追加することで十分である。これは、ブロードキャストサーバ１０がインターネット１４などのネットワークを介してオーディオビジュアルコンテンツをブロードキャストするときに可能である。
【００４５】
受信機端末１２で格納される初期要求は、少なくとも、ブロードキャストソースに関する識別子を含み、例えば以下の形式のうちの１つを取ることができる。
ｈｔｔｐ：／／ｋａａｓ．ｅｘａｍｐｌｅ．ｃｏｍ／ｓｃｒｉｐｔｓ／ｍｅｔａｄａｔａ．ｘｍｌ？ＳｅｒｖｉｃｅＩｄ＝“ｔｖ１０００２０１”＆ＵＴＣ＝
ｈｔｔｐ：／／ｋａｓｓ．ｅｘａｍｐｌｅ．ｃｏｍ／ｃｈａｎｎｅｌ＿ｏｎｅ／ｍｅｔａｄａｔａ．ｘｍｌ？ｄａｔｅ＿ｔｉｍｅ＝
ｈｔｔｐ：／／ｋａａｓ．ｅｘａｍｐｌｅ．ｃｏｍ／ｓｃｒｉｐｔｓ／ｃｈａｎｎｅｌ＿ｔｗｏ．ｘｍｌ？ｔｉｍｅ＝
【００４６】
最初の例では、ブロードキャストソースの識別子が要求のパラメータとして記録される（パラメータＳｅｒｖｉｃｅＩｄ＝“ｔｖ１０００２０１”）。２番目の例では、ブロードキャストソースの識別子が要求の特定のフォルダである（“ｃｈａｎｎｅｌ＿ｏｎｅ”）。３番目の例では、ブロードキャストソースの識別子がファイル名（“ｃｈａｎｎｅｌ＿ｔｗｏ”）に対応する。
【００４７】
各例では、初期要求は、日付および時刻（パラメータＵＴＣ、ｄａｔｅ＿ｔｉｍｅ、またはｔｉｍｅ）を指定するために以下のステップ中でユーザが任意選択で拡張することができるパラメータを含む。
【００４８】
初期要求取得ステップ２０、２２、および２４に続いて、この方法は、先に取得したこれらの初期要求に基づいて、送信のための要求を生成するステップ２６に進む。
【００４９】
受信機端末１２の中央ユニットは、こうした要求を生成するプログラムを含む。このプログラムは、受信機端末１２によって格納される初期要求を拡張する目的で、単一のマンマシンインターフェースを介して従来の方式で実施される。
【００５０】
例えば、インターフェースは、要求が行われる１組のブロードキャストチャネルを選ぶ選択肢をユーザに与えることができる。次いでシステムは、その組で定義されたブロードキャストチャネルと同数の要求を生成する。
【００５１】
任意選択で、インターフェースは、日付および時刻を入力する選択肢をユーザに与えることができる。例えば、日付および時刻は、ユーザがそれに関する記述データを得ようとするオーディオビジュアルコンテンツをブロードキャストする日付および時刻であるとシステムによってみなされる。
【００５２】
このような日付および時刻が指定されないとき、生成される要求は、それが送信される日付および時刻と関連付けられる。
【００５３】
やはり任意選択で、ユーザは、新しい日付および新しい時刻を与えることによって、または期間を指定することによって時間間隔を指定することができる。したがって、要求は、例えば、前記ユーザ定義の時間間隔中に全部または一部がブロードキャストされるオーディオビジュアルコンテンツに関する記述データを取得するための要求とみなされる。
【００５４】
したがって、完全な要求は以下の形式を取る。
ｈｔｔｐ：／／ｋａａｓ．ｅｘａｍｐｌｅ．ｃｏｍ／ｃｈａｎｎｅｌ＿ｏｎｅ／ｍｅｔａｄａｔａ．ｘｍｌ？ｄａｔｅ＿ｔｉｍｅ＝“１９９７−０７−１６Ｔ２０：２０：４５．４３２１Ｚ”＆ｄｕｒａｔｉｏｎ＝“Ｔ０２：００：ＯＯ．ＯＯＯＯＺ”
【００５５】
このような要求は、ブロードキャストソース（「ｃｈａｎｎｅｌ＿ｏｎｅ」）だけでなく、日付（１９９７年７月１６日）、時刻（８：２０ＰＭ、４５．４３２１秒）、および「ｄｕｒａｔｉｏｎ」と呼ばれる追加のパラメータも含む。
【００５６】
パラメータｄｕｒａｔｉｏｎ＝“Ｔ０２：００：００．００００Ｚ”は、ユーザが、特定の日付および時刻と、パラメータ内でキーワード「ｄｕｒａｔｉｏｎ」の後に与えられる期間を前記指定のデータおよび時刻に加えた和によって与えられる瞬間との間に全部または一部がブロードキャストされるオーディオビジュアルコンテンツに関する記述データを受信しようとすることを示す。
【００５７】
さらに任意選択で、ユーザは、要求に関連する日付および時刻の前または後に何らかのオーディオビジュアルコンテンツブロードキャストに関する記述データをユーザが受信したいかどうかを指定するパラメータを追加することによって要求を拡張することができる。
【００５８】
したがって、完全な要求は以下の形式を取る。
ｈｔｔｐ：／／ｋａａｓ．ｅｘａｍｐｌｅ．ｃｏｍ／ｃｈａｎｎｅｌ＿ｏｎｅ／ｍｅｔａｄａｔａ．ｘｍｌ？ｄａｔｅ＿ｔｉｍｅ＝“１９９７−０７−１６Ｔ２０：２０：４５．４３２１Ｚ”＆ｒａｎｇｅ＝“＋０＋２”
【００５９】
ブロードキャストソース（「ｃｈａｎｎｅｌ＿ｏｎｅ」）に加えて、このような要求は、日付（１９９７年７月１６日）、時刻（８：２０ＰＭ、４５．４３２１秒）、および「ｒａｎｇｅ」と呼ばれる追加のパラメータを含む。
【００６０】
パラメータｒａｎｇｅ＝“＋０＋２”は、ユーザがオーディオビジュアルコンテンツの３つの項目に関する記述データを受信したいことを示し、項目が、続く２つの項目と共に、要求で指定された日付および時刻にブロードキャストされる。
【００６１】
従来のように、ユーザが望む、記述データ内で見つけるべきキーワード、または検索ドメインを指定するキーワードで要求を拡張することもできる。
【００６２】
より正確には、要求内に挿入することのできるキーワードは、それに応答して記述サーバ１６によって送られるコンテンツに関する記述データ内に現れる要素、例えばＴＶ  Ａｎｙｔｉｍｅ  ｆｏｒｕｍで指定されるメタデータで定義される例えば「Ｔｉｔｌｅ」や「Ｋｅｙｗｏｒｄ」などの要素の名前でよい。
【００６３】
インターネット要求に関して使用される構文規則（ＡＮＤブール演算子に関するセパレータ「＆」など）に従って、いくつかの選択基準を初期要求に追加することができる。
【００６４】
その後で、この方法は、要求を送信するステップ２８に進む。要求生成ステップ中にユーザによって指定されたブロードキャストチャネルと同数の要求が送信される。したがって、複数の記述サーバ１６がユーザ要求によって指定される場合、生成される各要求が、対応する記述サーバに送信される。
【００６５】
最後に、最終ステップ３０中に、受信機端末１２は、先行するステップ中に送信した要求に対応するオーディオビジュアルコンテンツに関する記述データを受信する。この記述データは、標準フォーマット、例えばＴＶ  Ａｎｙｔｉｍｅ  ｆｏｒｕｍによって定義されたフォーマットで受信されることが好ましい。
【００６６】
任意選択で、このステップ３０に続いて、例えばユーザが行う選択に応じて、この方法は、それに関する記述データがまさに受信されたオーディオビジュアルコンテンツについてのブロードキャスト終了日付および時刻に対応する新しい日付および新しい時刻に関連する新しい要求を生成するために、要求を生成するステップ２６に戻ることができる。
【００６７】
上述のシステムによって実施されるオーディオビジュアルコンテンツに関する記述データを取得する方法により、要求の日付および時刻に対応する日付および時刻でブロードキャストされるオーディオビジュアルコンテンツに関する記述データと自動的に関連付けるべき少なくとも１つの日付および時刻に関連して記述データ要求を自動的に送信することが可能となることを明白に理解することができる。
【図面の簡単な説明】
【００６８】
【図１】本発明の記述データ取得システムを示す図である。
【図２】図１のシステムで実施される記述データを取得する方法の各ステップを示す図である。
【図１】
2005539427.tif 000003
【図２】
2005539427.tif 000004
【手続補正書】
【提出日】平成17年5月17日(2005.5.17)
【手続補正１】
【補正対象書類名】特許請求の範囲
【補正対象項目名】全文
【補正方法】変更
【補正の内容】
【特許請求の範囲】
【請求項１】
ブロードキャストオーディオビジュアルコンテンツについての記述データを取得する方法であって、
受信機端末（１２）がオーディオビジュアルコンテンツ記述の少なくとも１つのサーバ（１６）に少なくとも１つの情報要求を送信するステップ（２８）と、
受信機端末（１２）が、要求の要素に応じて供給される記述データを受信するステップ（３０）とを含み、
少なくとも１つのオーディオビジュアルコンテンツ記述サーバ（１６）のアドレスを含む少なくとも１つの初期情報要求を受信機端末（１２）内に取得および格納する事前ステップ（２０、２２、２４）と、先に取得した初期要求に基づいて要求を生成するステップ（２６）とを含むことを特徴とする方法。
【請求項２】
受信ステップ（３０）中に、オーディオビジュアルコンテンツ記述データが、要求に関連する少なくとも１つの日付および時刻とオーディオビジュアルコンテンツのブロードキャスト日付および時刻との間の関係に応じて供給されることを特徴とする請求項１に記載の記述データ取得方法。
【請求項３】
要求に関連する日付および時刻が、要求が送信される日付および時刻に対応することを特徴とする請求項２に記載の記述データ取得方法。
【請求項４】
送信される要求が初期要求と同一であることを特徴とする請求項１から３のいずれか一項に記載の記述データ取得方法。
【請求項５】
要求生成ステップ（２６）中に、少なくとも１つの日付および時刻を指定することによって初期要求が拡張されることを特徴とする請求項２から４のいずれか一項に記載の記述データ取得方法。
【請求項６】
受信ステップ（３０）中に、供給されるデータが、要求で指定される日付および時刻にブロードキャストされるオーディオビジュアルコンテンツに対応するデータであることを特徴とする請求項５に記載の記述データ取得方法。
【請求項７】
要求生成ステップ（２６）中に、いくつかのコンテンツ項目を指定することによって初期要求が拡張され、受信ステップ（３０）中に、供給されるデータが、要求で指定される日付および時刻から開始してブロードキャストされる、要求された数のオーディオビジュアルコンテンツ項目に対応することを特徴とする請求項５または６に記載の記述データ取得方法。
【請求項８】
要求生成ステップ（２６）中に、時間間隔を指定することによって初期要求が拡張され、受信ステップ（３０）中に、供給されるデータが、要求で指定された時間間隔でブロードキャストされるオーディオビジュアルコンテンツに関係することを特徴とする請求項２から４のいずれか一項に記載の記述データ取得方法。
【請求項９】
時間間隔が、開始日付および時刻と終了日付および時刻によって定義されることを特徴とする請求項８に記載の記述データ取得方法。
【請求項１０】
時間間隔が、開始日付および時刻ならびに期間によって定義されることを特徴とする請求項８に記載の記述データ取得方法。
【請求項１１】
要求生成ステップ（２６）中に、ブロードキャストオーディオビジュアルコンテンツに関する記述要素の名前に対応するキーワードを指定することによって初期要求が拡張されることを特徴とする請求項２から１０のいずれか一項に記載の記述データ取得方法。
【請求項１２】
記述データを受信するステップ（３０）に続いて、それに関する記述データがまさに受信されたオーディオビジュアルコンテンツについてのブロードキャスト終了日付および時刻に対応する新しい日付および新しい時刻に関連する少なくとも１つの新しい要求を生成するために、要求生成ステップ（２６）に戻ることを特徴とする請求項２から１１のいずれか一項に記載の記述データ取得方法。
【請求項１３】
初期要求を取得および格納するステップ（２０、２２、２４）が、記述サーバ（１６）から前記要求をダウンロードすること（２０）を含むことを特徴とする請求項１から１２のいずれか一項に記載の記述データ取得方法。
【請求項１４】
初期ステップを取得および格納するステップ（２０、２２、２４）が、受信機端末（１２）がオーディオビジュアルコンテンツブロードキャストチャネルに関連するシグナリングチャネルを介して前記初期要求を受信すること（２２）を含むことを特徴とする請求項１から１３のいずれか一項に記載の記述データ取得方法。
【請求項１５】
初期要求を取得および格納するステップ（２０、２２、２４）が、記述サーバ（１６）のアドレスフィールドに対応するＳＤＰタイプファイルを供給する（２４）ブロードキャストサーバ（１０）を含むことを特徴とする請求項１から１４のいずれか一項に記載の記述データ取得方法。
【請求項１６】
記述データがＸＭＬファイルの形式で供給されることを特徴とする請求項１から１５のいずれか一項に記載の記述データ取得方法。
【請求項１７】
要求が、単一のオーディオビジュアルコンテンツブロードキャストチャネルと関連付けられることを特徴とする請求項１から１６のいずれか一項に記載の記述データ取得方法。
【請求項１８】
送信についての要求を生成する（２６）間、１組のブロードキャストチャネルが定義され、送信ステップ（２８）中に、要求で指定されたブロードキャストチャネルと同数の要求が送信されることを特徴とする請求項１から１６のいずれか一項に記載の記述データ取得方法。
【請求項１９】
要求生成ステップが、少なくとも１つの選択基準を初期要求に追加することを含むことを特徴とする請求項１から１８のいずれか一項に記載の記述データ取得方法。
【請求項２０】
ブロードキャストオーディオビジュアルチャネルについての記述データを取得するシステムであって、オーディオビジュアルコンテンツを受信する少なくとも１つの受信機端末（１２）と、少なくとも１つのオーディオビジュアルコンテンツ記述サーバ（１６）とを備え、受信機端末（１２）が、少なくとも１つの記述サーバ（１６）のアドレスを含む少なくとも１つの初期情報要求を取得および格納する手段と、初期要求に基づいて要求を生成する手段と、前記要求を記述サーバに送信する手段とを含むこと、ならびに記述サーバ（１６）が、要求に応じて供給される記述データを受信機端末（１２）に送信する手段を含むことを特徴とするシステム。
【請求項２１】
記述サーバ（１６）が、初期要求を利用可能にする手段を含むことを特徴とする請求項２０に記載の記述データ取得システム。
【請求項２２】
少なくとも１つのオーディオビジュアルコンテンツブロードキャストサーバ（１０）を含み、前記サーバが、ブロードキャストコンテンツと共に初期要求を送信する手段を含むことを特徴とする請求項２０または２１に記載の記述データ取得システム。
【請求項２３】
請求項１から１９のいずれか一項に記載の記述取得方法を実施するオーディオビジュアルコンテンツブロードキャストサーバ（１０）であって、ブロードキャストコンテンツと共に初期要求を送信する送信手段を含むことを特徴とするオーディオビジュアルコンテンツブロードキャストサーバ（１０）。
【請求項２４】
送信手段が通常の送信手段であることを特徴とする請求項２３に記載のブロードキャストサーバ（１０）。
【請求項２５】
オーディオビジュアルコンテンツを受信して、請求項１から１９のいずれか一項に記載の記述データ取得方法を実施する受信機端末（１２）であって、初期要求を格納する手段と、初期要求に基づいて、送信すべき要求を生成する手段とを含むことを特徴とする受信機端末（１２）。
【請求項２６】
請求項１から１９のいずれか一項に記載の記述データ取得方法を実施するオーディオビジュアルコンテンツ記述サーバ（１６）であって、初期要求を利用可能にする手段を含むことを特徴とするオーディオビジュアルコンテンツ記述サーバ（１６）。
【手続補正２】
【補正対象書類名】明細書
【補正対象項目名】全文
【補正方法】変更
【補正の内容】
【発明の詳細な説明】
【技術分野】
【０００１】
本発明は、ブロードキャストオーディオビジュアルコンテンツについての記述データを取得する方法に関する。本発明はまた、この方法を実施するシステム、ブロードキャストサーバ、記述サーバ、および受信機端末に関する。
【背景技術】
【０００２】
より正確には、本発明は、
受信機端末が、オーディオビジュアルコンテンツ記述の少なくとも１つのサーバに、情報についての少なくとも１つの要求を送信するステップと、
受信機端末が、要求の要素に応答して供給された記述データを受信するステップとを含むタイプの方法に関する。
【０００３】
このような記述データ取得方法は一般に、インターネットを介してアクセス可能な記述サーバ内で実施される。したがって、オーディオビジュアルコンテンツブロードキャストチャネルのインターネットサイトは、ホームページに含まれる検索エンジンの助けにより、ユーザにとって関心のある可能性のあるオーディオビジュアルコンテンツの検索を提案する。
【０００４】
それでも、ユーザが複数のチャネルによってブロードキャストされるオーディオビジュアルコンテンツに関する記述データを受信したい場合、ユーザは、複数の要求を作成するために複数のインターネットサイトに移動しなければならない。
【発明の開示】
【発明が解決しようとする課題】
【０００５】
本発明の目的は、所望の記述データを得るために、情報要求を送信するステップを実施しながら、記述データを取得する方法を提供することによってその欠点を改善することである。
【課題を解決するための手段】
【０００６】
この目的で、本発明は、少なくとも１つのオーディオビジュアルコンテンツ記述サーバのアドレスを含む少なくとも１つの初期情報要求を受信機端末内に取得および格納する事前ステップと、先に取得した初期要求に基づいて要求を生成するステップとを含むことを特徴とする、上記で指定したタイプの記述データ取得方法を提供する。
【０００７】
したがって、受信機端末はいくつかの初期要求を格納することができるので、要求生成のステップにより、１つまたは複数の要求を送信するために共通インターフェースを使用することを可能とする。
【０００８】
任意選択で、本発明の記述データ取得方法は、受信ステップ中に、オーディオビジュアルコンテンツ記述データが、要求に関連する少なくとも１つの日付および時刻とオーディオビジュアルコンテンツのブロードキャスト日付および時刻との間の関係に応じて供給されるという特徴を含む。
【０００９】
この取得方法の利点は、何らかの特定のオーディオビジュアルコンテンツを識別または参照する必要なしに、特定の時刻または特定の時間枠内にブロードキャストされるオーディオビジュアルコンテンツに関する記述データを受信することを可能とすることである。
【００１０】
加えて、本発明の記述データ取得方法は、以下の特徴のうち１つまたは複数を含むことができる。
【００１１】
要求に関連する日付および時刻が、要求が送信される日付および時刻に対応する。
【００１２】
送信される要求が初期要求と同一である。
【００１３】
要求生成ステップ中に、少なくとも１つの日付および時刻を指定することによって初期要求が拡張される。
【００１４】
記述データを受信するステップ中に、供給されるデータが、要求で指定される日付および時刻にブロードキャストされるオーディオビジュアルコンテンツに対応するデータである。
【００１５】
要求生成ステップ中に、いくつかのコンテンツ項目を指定することによって初期要求が拡張され、受信ステップ中に、供給されるデータが、要求で指定される日付および時刻から開始してブロードキャストされる、要求された数のオーディオビジュアルコンテンツ項目に対応する。
【００１６】
要求生成ステップ中に、時間間隔を指定することによって初期要求が拡張され、受信ステップ中に、供給されるデータが、要求で指定された時間間隔でブロードキャストされるオーディオビジュアルコンテンツに関係する。
【００１７】
時間間隔が、開始日付および時刻と終了日付および時刻によって定義される。
【００１８】
時間間隔が、開始日付および時刻ならびに期間によって定義される。
【００１９】
要求生成ステップ中に、ブロードキャストオーディオビジュアルコンテンツに関する記述要素の名前に対応するキーワードを指定することによって初期要求が拡張される。
【００２０】
記述データを受信するステップに続いて、それに関する記述データがまさに受信されたオーディオビジュアルコンテンツについてのブロードキャスト終了日付および時刻に対応する新しい日付および新しい時刻に関連する少なくとも１つの新しい要求を生成するために、この方法は要求生成ステップに戻る。
【００２１】
初期要求を取得および格納するステップが、記述サーバから前記要求をダウンロードすることを含む。
【００２２】
初期ステップを取得および格納するステップが、受信機端末がオーディオビジュアルコンテンツブロードキャストチャネルに関連するシグナリングチャネルを介して前記初期要求を受信することを含む。
【００２３】
初期要求を取得および格納するステップが、記述サーバのアドレスフィールドに対応するＳＤＰタイプファイルを供給するブロードキャストサーバを含む。
【００２４】
記述データがＸＭＬファイルの形式で供給される。
【００２５】
要求が、単一のオーディオビジュアルコンテンツブロードキャストチャネルと関連付けられる。
【００２６】
送信についての要求を生成する間、１組のブロードキャストチャネルが定義され、送信ステップ中に、要求で指定されたブロードキャストチャネルと同数の要求が送信される。  要求生成ステップが、少なくとも１つの選択基準を初期要求に追加することを含む。
【００２７】
本発明はまた、ブロードキャストオーディオビジュアルチャネルについての記述データを取得するシステムであって、オーディオビジュアルコンテンツを受信する少なくとも１つの受信機端末と、少なくとも１つのオーディオビジュアルコンテンツ記述サーバとを備え、受信機端末が、少なくとも１つの記述サーバのアドレスを含む少なくとも１つの初期情報要求を取得および格納する手段と、初期要求に基づいて要求を生成する手段と、前記要求を記述サーバに送信する手段とを含むこと、ならびに記述サーバが、要求に応じて供給される記述データを受信機端末に送信する手段を含むことを特徴とするシステムを提供する。
【００２８】
本発明のシステムは、以下の特徴のうち１つまたは複数をさらに含むことができる。
【００２９】
記述サーバが、初期要求を利用可能にする手段を含む。
【００３０】
システムが、少なくとも１つのオーディオビジュアルコンテンツブロードキャストサーバを含み、前記サーバが、ブロードキャストコンテンツと共に初期要求を送信する手段を含む。
【００３１】
本発明はまた、前述の記述取得方法を実施するオーディオビジュアルコンテンツブロードキャストサーバであって、ブロードキャストコンテンツと共に初期要求を送信する送信手段を含むことを特徴とするオーディオビジュアルコンテンツブロードキャストサーバを提供する。
【００３２】
本発明のブロードキャストサーバは、送信手段が通常の送信手段であるという特徴をさらに備える。
【００３３】
本発明はまた、オーディオビジュアルコンテンツを受信して、前述の記述データ取得方法を実施する受信機端末であって、初期要求を格納する手段と、初期要求に基づいて、送信すべき要求を生成する手段とを含むことを特徴とする受信機端末を提供する。
【００３４】
最後に、本発明はまた、前述の記述データ取得方法を実施するオーディオビジュアルコンテンツ記述サーバであって、初期要求を利用可能にする手段を含むことを特徴とするオーディオビジュアルコンテンツ記述サーバを提供する。
【００３５】
純粋に例示として与えた以下の説明を読み、添付の図面を参照するときに本発明はより良く理解されよう。
【発明を実施するための最良の形態】
【００３６】
図１に示すシステムは、受信機端末１２へのオーディオビジュアルコンテンツのプログラム式ブロードキャストに適した少なくとも１つのブロードキャストサーバ１０を含む。複数のブロードキャストサーバ１０は、受信機端末１２にプログラム式オーディオビジュアルコンテンツを送信することができ、前記端末は、複数の受信チャネルを有する。
【００３７】
この例では、ブロードキャストは、インターネットなどの従来型データ伝送ネットワークを介して行われる。ブロードキャストはまた、無線放送ネットワークを介して行うこともでき、あるいはケーブルまたは衛星で行うこともできる。伝送ネットワークを参照番号１４で表す。
【００３８】
オーディオビジュアルコンテンツ記述サーバ１６も、受信機端末１２とデータを交換するためにインターネット１４に接続される。
【００３９】
これらの各サーバは、特定のブロードキャストサーバまたは１組のブロードキャストサーバと関連付けることができる。これらは、受信機端末１２によってこれらに送信された要求に応答して、オーディオビジュアルコンテンツを記述するデータを提供するように構成される。
【００４０】
上述のシステムは、図２に示す方法を実施するように働く。
【００４１】
この方法は、受信機端末が初期要求を受信および格納する第１ステップを含む。この第１ステップを参照番号２０、２２、および２４で表す。この第１ステップは、互いに独立に、同時に、または異なる時刻に実行することができる３つの異なる取得ステップに分割される。
【００４２】
初期要求を取得する第１ステップ２０は、記述サーバ１６のうちの１つからそのような要求をダウンロードすることを含む。ダウンロードした要求は、少なくとも、記述サーバに対応するオーディオビジュアルコンテンツのブロードキャストソースの識別子を含む。
【００４３】
初期要求を取得する第２ステップ２２は、ブロードキャストサーバ１０で使用されるオーディオビジュアルコンテンツブロードキャストチャネルに関連するシグナリングチャネルで端末１２が前記要求を受信することを含む。このような環境下では、初期要求が反復的に、好ましくは定期的に受信機端末１２に送信され、その結果、受信機端末１２のユーザは、初期要求を端末に格納することを望むときに格納することができる。
【００４４】
最後に、初期要求を取得する第３ステップ２４は、ブロードキャストサーバ１０がセッション記述プロトコル（ＳＤＰ）タイプの、オーディオビジュアルコンテンツのソースに対応するファイルを受信機端末１２に供給することを含む。これを行うためには、ブロードキャストコンテンツに関する記述データを得るために連絡を取るべき記述サーバ１６のアドレスを供給するためにＳＤＰタイプのファイルにフィールドを追加することで十分である。これは、ブロードキャストサーバ１０がインターネット１４などのネットワークを介してオーディオビジュアルコンテンツをブロードキャストするときに可能である。
【００４５】
受信機端末１２で格納される初期要求は、少なくとも、ブロードキャストソースに関する識別子を含み、例えば以下の形式のうちの１つを取ることができる。
ｈｔｔｐ：／／ｋａａｓ．ｅｘａｍｐｌｅ．ｃｏｍ／ｓｃｒｉｐｔｓ／ｍｅｔａｄａｔａ．ｘｍｌ？ＳｅｒｖｉｃｅＩｄ＝“ｔｖ１０００２０１”＆ＵＴＣ＝
ｈｔｔｐ：／／ｋａｓｓ．ｅｘａｍｐｌｅ．ｃｏｍ／ｃｈａｎｎｅｌ＿ｏｎｅ／ｍｅｔａｄａｔａ．ｘｍｌ？ｄａｔｅ＿ｔｉｍｅ＝
ｈｔｔｐ：／／ｋａａｓ．ｅｘａｍｐｌｅ．ｃｏｍ／ｓｃｒｉｐｔｓ／ｃｈａｎｎｅｌ＿ｔｗｏ．ｘｍｌ？ｔｉｍｅ＝
【００４６】
最初の例では、ブロードキャストソースの識別子が要求のパラメータとして記録される（パラメータＳｅｒｖｉｃｅＩｄ＝“ｔｖ１０００２０１”）。２番目の例では、ブロードキャストソースの識別子が要求の特定のフォルダである（“ｃｈａｎｎｅｌ＿ｏｎｅ”）。３番目の例では、ブロードキャストソースの識別子がファイル名（“ｃｈａｎｎｅｌ＿ｔｗｏ”）に対応する。
【００４７】
各例では、初期要求は、日付および時刻（パラメータＵＴＣ、ｄａｔｅ＿ｔｉｍｅ、またはｔｉｍｅ）を指定するために以下のステップ中でユーザが任意選択で拡張することができるパラメータを含む。
【００４８】
初期要求取得ステップ２０、２２、および２４に続いて、この方法は、先に取得したこれらの初期要求に基づいて、送信のための要求を生成するステップ２６に進む。
【００４９】
受信機端末１２の中央ユニットは、こうした要求を生成するプログラムを含む。このプログラムは、受信機端末１２によって格納される初期要求を拡張する目的で、単一のマンマシンインターフェースを介して従来の方式で実施される。
【００５０】
例えば、インターフェースは、要求が行われる１組のブロードキャストチャネルを選ぶ選択肢をユーザに与えることができる。次いでシステムは、その組で定義されたブロードキャストチャネルと同数の要求を生成する。
【００５１】
任意選択で、インターフェースは、日付および時刻を入力する選択肢をユーザに与えることができる。例えば、日付および時刻は、ユーザがそれに関する記述データを得ようとするオーディオビジュアルコンテンツをブロードキャストする日付および時刻であるとシステムによってみなされる。
【００５２】
このような日付および時刻が指定されないとき、生成される要求は、それが送信される日付および時刻と関連付けられる。
【００５３】
やはり任意選択で、ユーザは、新しい日付および新しい時刻を与えることによって、または期間を指定することによって時間間隔を指定することができる。したがって、要求は、例えば、前記ユーザ定義の時間間隔中に全部または一部がブロードキャストされるオーディオビジュアルコンテンツに関する記述データを取得するための要求とみなされる。
【００５４】
したがって、完全な要求は以下の形式を取る。
ｈｔｔｐ：／／ｋａａｓ．ｅｘａｍｐｌｅ．ｃｏｍ／ｃｈａｎｎｅｌ＿ｏｎｅ／ｍｅｔａｄａｔａ．ｘｍｌ？ｄａｔｅ＿ｔｉｍｅ＝“１９９７−０７−１６Ｔ２０：２０：４５．４３２１Ｚ”＆ｄｕｒａｔｉｏｎ＝“Ｔ０２：００：ＯＯ．ＯＯＯＯＺ”
【００５５】
このような要求は、ブロードキャストソース（「ｃｈａｎｎｅｌ＿ｏｎｅ」）だけでなく、日付（１９９７年７月１６日）、時刻（８：２０ＰＭ、４５．４３２１秒）、および「ｄｕｒａｔｉｏｎ」と呼ばれる追加のパラメータも含む。
【００５６】
パラメータｄｕｒａｔｉｏｎ＝“Ｔ０２：００：００．００００Ｚ”は、ユーザが、特定の日付および時刻と、パラメータ内でキーワード「ｄｕｒａｔｉｏｎ」の後に与えられる期間を前記指定のデータおよび時刻に加えた和によって与えられる瞬間との間に全部または一部がブロードキャストされるオーディオビジュアルコンテンツに関する記述データを受信しようとすることを示す。
【００５７】
さらに任意選択で、ユーザは、要求に関連する日付および時刻の前または後に何らかのオーディオビジュアルコンテンツブロードキャストに関する記述データをユーザが受信したいかどうかを指定するパラメータを追加することによって要求を拡張することができる。
【００５８】
したがって、完全な要求は以下の形式を取る。
ｈｔｔｐ：／／ｋａａｓ．ｅｘａｍｐｌｅ．ｃｏｍ／ｃｈａｎｎｅｌ＿ｏｎｅ／ｍｅｔａｄａｔａ．ｘｍｌ？ｄａｔｅ＿ｔｉｍｅ＝“１９９７−０７−１６Ｔ２０：２０：４５．４３２１Ｚ”＆ｒａｎｇｅ＝“＋０＋２”
【００５９】
ブロードキャストソース（「ｃｈａｎｎｅｌ＿ｏｎｅ」）に加えて、このような要求は、日付（１９９７年７月１６日）、時刻（８：２０ＰＭ、４５．４３２１秒）、および「ｒａｎｇｅ」と呼ばれる追加のパラメータを含む。
【００６０】
パラメータｒａｎｇｅ＝“＋０＋２”は、ユーザがオーディオビジュアルコンテンツの３つの項目に関する記述データを受信したいことを示し、項目が、続く２つの項目と共に、要求で指定された日付および時刻にブロードキャストされる。
【００６１】
従来のように、ユーザが望む、記述データ内で見つけるべきキーワード、または検索ドメインを指定するキーワードで要求を拡張することもできる。
【００６２】
より正確には、要求内に挿入することのできるキーワードは、それに応答して記述サーバ１６によって送られるコンテンツに関する記述データ内に現れる要素、例えばＴＶ  Ａｎｙｔｉｍｅ  ｆｏｒｕｍで指定されるメタデータで定義される例えば「Ｔｉｔｌｅ」や「Ｋｅｙｗｏｒｄ」などの要素の名前でよい。
【００６３】
インターネット要求に関して使用される構文規則（ＡＮＤブール演算子に関するセパレータ「＆」など）に従って、いくつかの選択基準を初期要求に追加することができる。
【００６４】
その後で、この方法は、要求を送信するステップ２８に進む。要求生成ステップ中にユーザによって指定されたブロードキャストチャネルと同数の要求が送信される。したがって、複数の記述サーバ１６がユーザ要求によって指定される場合、生成される各要求が、対応する記述サーバに送信される。
【００６５】
最後に、最終ステップ３０中に、受信機端末１２は、先行するステップ中に送信した要求に対応するオーディオビジュアルコンテンツに関する記述データを受信する。この記述データは、標準フォーマット、例えばＴＶ  Ａｎｙｔｉｍｅ  ｆｏｒｕｍによって定義されたフォーマットで受信されることが好ましい。
【００６６】
任意選択で、このステップ３０に続いて、例えばユーザが行う選択に応じて、この方法は、それに関する記述データがまさに受信されたオーディオビジュアルコンテンツについてのブロードキャスト終了日付および時刻に対応する新しい日付および新しい時刻に関連する新しい要求を生成するために、要求を生成するステップ２６に戻ることができる。
【００６７】
上述のシステムによって実施されるオーディオビジュアルコンテンツに関する記述データを取得する方法により、要求の日付および時刻に対応する日付および時刻でブロードキャストされるオーディオビジュアルコンテンツに関する記述データと自動的に関連付けるべき少なくとも１つの日付および時刻に関連して記述データ要求を自動的に送信することが可能となることを明白に理解することができる。
【図面の簡単な説明】
【００６８】
【図１】本発明の記述データ取得システムを示す図である。
【図２】図１のシステムで実施される記述データを取得する方法の各ステップを示す図である。
【国際調査報告】
2005539427.tif 000005
2005539427.tif 000006
2005539427.tif 000007
2005539427.tif 000008